(57)【特許請求の範囲】
【請求項１】
クリップ本体の先端が、合成樹脂で成形された装飾体の裏面に形成された袋状の固定部に差し込まれ、クリップ本体の裏面先端部に形成された抜け止め突起が該固定部のスリット部に嵌め込まれるとともに、該抜け止め突起が該スリット部の上端に対向して形成された一対の係止突起に係止した筆記具用クリップにおいて、
前記係止突起は、該固定部の内面側に形成されていることを特徴とする筆記具用クリップ。
【発明の詳細な説明】
【０００１】
【発明の属する技術分野】
本発明は、先端に合成樹脂製の装飾体が取り付けられた筆記具用のクリップに関するものである。
【０００２】
【従来の技術】
筆記具のクリップは、キャップや軸筒の尾端側表面に取り付けられた大きな部品であるため、筆記具を洋服のポケットなどに装着したときに筆記具を洋服などに固定する本来の機能の他に、意匠的要素が重要視される部品である。このため、クリップの先端に、例えば有名なキャラクターなどの形状をした合成樹脂製の装飾体を取り付けて興趣に富んだクリップにすることがある。
【０００３】
合成樹脂で成形された装飾体をクリップ本体の先端に取り付ける構造の一例を説明すると、装飾体の裏側に袋状の固定部を形成し、クリップ本体の先端をこの固定部に差し込む。そして、クリップ本体の裏面先端部に抜け止め突起を形成し、この抜け止め突起を固定部のスリット部に嵌め込むとともに、この抜け止め突起をスリット部の上端に対向して形成された一対の係止突起に係止して装飾体が抜け落ちないようにしている。
【０００４】
筆記具のクリップは、一般的に、その先端裏面に玉部を形成し、洋服のポケットなどに装着したときに、この玉部が洋服の布地に圧接して筆記具を洋服のポケットにしっかりと装着できるようにするが、クリップ本体の先端に装飾体を取り付けたときは、装飾体の裏側に形成された固定部がクリップ本体先端の裏面から突出するので、固定部がこの玉部の役割をする。
【０００５】
【発明が解決しようとする課題】
図７および図８は装飾体の従来例を示す。図７および図８において、合成樹脂で成形された装飾体２０の裏面には、袋状の固定部２１が形成されており、固定部２１の背面には軸線方向のスリット部２２が形成されている。このスリット部２２には、図１ないし図２に示すように、クリップ本体１０の先端内面に形成された抜け止め突起１１が嵌め込まれるが、装飾体２０が抜け落ちないように、スリット部２２の上端部に一対の係止突起２３が対向して形成されている。従って、一対の係止突起２３，２３の間の隙間部２４は幅が狭くなる。
【０００６】
図９は、従来の装飾体を成形するための金型構造を示すが、一対の母型Ｄ１，Ｄ２および入子Ｃにより装飾体２０のキャビティが画定される。そして、隙間部２４を形成するためのピン部Ｐが母型Ｄ１に設けられるが、隙間部２４の幅が狭いので、ピン部Ｐは幅の割に長さの長いものになり、その寸法は、長さ×幅が例えば１．５ｍｍ×０．５ｍｍである。このため、ピン部Ｐの剛性が低く、繰り返し射出成形しているとピン部Ｐが変形し、隙間部２４や係止突起２３を正確に成形できなくなる不具合がある。
【０００７】
また、前述のとおり、装飾体の裏側に形成された固定部がクリップ本体先端の裏面から突出するので、固定部がこの玉部の役割をするが、固定部の背面がほぼ平面状であるので、筆記具を洋服のポケットなどに装着したときに、平面状の固定部の背面とキャップや軸筒の周面によって洋服の布地などを挟圧するが、この状態ではクリップの弾発力のみでは、洋服のポケットなどにしっかりと装着できない不具合もある。
【０００８】
そこで本発明は、装飾体を繰り返し成形しても正確に成形することができ、洋服のポケットなどにしっかりと装着することも可能な筆記具用クリップを提供することを目的とする。
【０００９】
【課題を解決するための手段】
かかる目的を達成するために、請求項１の発明は、クリップ本体の先端が、合成樹脂で成形された装飾体の裏面に形成された袋状の固定部に差し込まれ、クリップ本体の裏面先端部に形成された抜け止め突起が固定部のスリット部に嵌め込まれるとともに、抜け止め突起がスリット部の上端に対向して形成された一対の係止突起に係止した筆記具用クリップにおいて、前記係止突起を固定部の内面側に形成する。
【００１０】
【発明の実施の形態】
以下に、図面に基づいて本発明の実施の形態を具体的に説明する。図１〜図４は本発明の筆記具用クリップの実施例の要部を示すが、図１〜図４において、合成樹脂製のクリップ本体１０の先端側裏面には、軸線方向の抜け止め突起１１が形成されている。このクリップ本体１０の先端が、次に説明する装飾体２０の固定部２１に差し込まれて固定される。
【００１１】
装飾体２０は合成樹脂で射出成形されたものであり、その形状は有名なキャラクターなど、興趣に富んだ任意の形状が選ばれる。装飾体２０の背面には、袋状の固定部２１が一体に成形されている。この固定部２１の内面形状および内面寸法は、スリット本体１０先端の形状および寸法と等しくなっている。そして、この固定部２１にクリップ本体１０の先端が差し込まれる。固定部２１の背面には、幅が抜け止め突起１１の幅に等しいスリット部２２が軸線方向に形成されており、固定部２１にクリップ本体１０の先端を差し込んだときに、抜け止め突起１１がスリット部２２に嵌め込まれる。
【００１２】
スリット部２２の上端には、一対の係止突起２３，２３が対向して形成されている。そして、抜け止め突起１１の上端が係止突起２３に係止し、装飾体２０が抜け落ちないようになっている。ここで、図４に示すように、係止突起２３は固定部２１の内面側に形成されている。なお、図４においては、一対の係止突起２３，２３の間の隙間部２４は、幅狭部２４ａと幅広部２４ｂからなるようにも見えるが、幅広部２４ｂの幅はスリット部２２の幅と同じであり、幅狭部２４ａの幅が係止突起２３，２３間の隙間部２４の幅である。
因みに、幅狭部２４ａの幅×長さの寸法は、例えば０．５ｍｍ×０．７ｍｍであり、幅広部２４ｂの幅×長さの寸法は、例えば１．５ｍｍ×０．８ｍｍである。
【００１３】
図５は、装飾体２０を成形する金型構造を示すが、一対の母型Ｄ１，Ｄ２および入子Ｃにより装飾体２０のキャビティが画定される。そして、隙間部２４を形成するためのピン部Ｐが母型Ｄ１に設けられるが、ピン部Ｐは、幅狭部２４ａを成形する肉薄部と幅広部２４ｂを成形する肉厚部からなる。すなわち、ピン部Ｐは、肉薄部と肉厚部の２段からなり、幅狭部２４ａを成形する肉薄部の長さが図９に示す従来例よりも短いので剛性がずっと高くなる。従って、装飾体２０を繰り返し射出成形してもピン部Ｐが変形せず、装飾体２０を正確に成形することができる。
【００１４】
図６は、かかるクリップをキャップ３０に取り付けた状態を示すが、固定部２１の背面に、幅の広い幅広部２４ｂが形成されているので、キャップ３０の周面に、幅広部２４ｂに入り込むような突起３１を設けるのがよい。そして、筆記具を洋服のポケットなどに装着したときに、突起３１を設けることにより、布地は、キャップ３０の周面と固定部２１の背面で挟圧されるのみでなく、幅広部２４ｂと突起３１によりクランク状に折り曲げられた状態で挟圧される。従って、洋服のポケットなどにしっかりと装着することも可能なる。
【００１５】
【発明の効果】
以上説明したように、本発明は、クリップ本体の先端が、合成樹脂で成形された装飾体の裏面に形成された袋状の固定部に差し込まれ、クリップ本体の裏面先端部に形成された抜け止め突起が固定部のスリット部に嵌め込まれるとともに、抜け止め突起がスリット部の上端に対向して形成された一対の係止突起に係止した筆記具用クリップにおいて、係止突起を固定部の内面側に形成するので、装飾体を繰り返し成形しても正確に成形することができ、洋服のポケットなどにしっかりと装着することも可能な筆記具用クリップとすることができる。
【図面の簡単な説明】
【図１】本発明実施例の要部の背面図である。
【図２】本発明実施例の要部の側面図である。
【図３】固定部の背面図である。
【図４】図４のＡ−Ａ線における断面図である。
【図５】金型構造の説明図である。
【図６】キャップに取り付けた状態の説明図である。
【図７】従来例の固定部の背面図である。
【図８】図７のＢ−Ｂ線における断面図である。
【図９】従来例の金型構造の説明図である。
【符号の説明】
１０    クリップ本体
１１    抜け止め突起
２０    装飾体
２１    固定部
２２    スリット部
２３    係止突起
２４    隙間部
２４ａ    隙間部の幅狭部
２４ｂ    隙間部の幅広部
３０    キャップ
３１    突起
【図１】
0003602779.tif 000002
【図２】
0003602779.tif 000003
【図３】
0003602779.tif 000004
【図４】
0003602779.tif 000005
【図５】
0003602779.tif 000006
【図６】
0003602779.tif 000007
【図７】
0003602779.tif 000008
【図８】
0003602779.tif 000009
【図９】
0003602779.tif 000010